(57)【要約】【課題】本発明は洗い場面にの残水を少なくすることにより、乾きやすくし、足を濡らさずに浴室の清掃が行える洗い場防水パンを提供することを目的とする。【解決手段】洗い場面４の任意の位置に排水口５を設置し、前記洗い場面４の外縁部から前記排水口５に連通する流れ勾配を有する複数の目地６を配設し、前記目地６で区画された複数の区画部７は平面形状を略多角形とし上部に凸状部８を備えており、前記凸状部８は任意の位置に頂上部を備え、前記頂上部から区画部の外周辺１０に向かって下り勾配を持つ傾斜面１１で構成することにより、洗い場面に流された水は目地に押し出され、水は区画部に滞留せず、洗い場面全体が乾きやすくすることができる。【選択図】図１
2006016843.tif 000002
【特許請求の範囲】
【請求項１】
洗い場面の任意の位置に排水口を設置し、前記洗い場面の外縁部から前記排水口に連通する流れ勾配を有する複数の目地を配設し、前記目地で区画された複数の区画部は平面形状を略多角形とし上部に凸状部を備えており、前記凸状部は任意の位置に頂上部を備え、前記頂上部から区画部の外周辺に向かって下り勾配を持つ傾斜面で形成した洗い場防水パン。
【請求項２】
前記頂上部が頂点である請求項１記載の洗い場防水パン。
【請求項３】
前記頂上部が稜線である請求項１記載の洗い場防水パン。
【請求項４】
全ての目地が洗い場面の流れ勾配に対して直交しない構成の請求項１〜３記載の洗い場防水パン。
【発明の詳細な説明】
【技術分野】
【０００１】
本発明は、主に住宅の浴室で使用する洗い場防水パンに関するものである。
【背景技術】
【０００２】
従来、この種の浴室の洗い場防水パンは、目地で区画された平坦面又は、凸状曲面で形成された区画部で構成されている（例えば、特許文献１参照）。
【０００３】
図７、図８は従来の特許文献１に記載された浴室の洗い場防水パンを示すものである。図５に示すように、浴室の洗い場防水パンの底面１は縦横に目地２が配設され、また図８に示すように、前記目地２で区画された複数の区画部３は凸状曲面で形成される構成である。
【特許文献１】特開２００３−１７６５５８号公報
【発明の開示】
【発明が解決しようとする課題】
【０００４】
しかしながら、前記従来の構成では、区画部の上面が凸状曲面であり、区画部の最上部から区画部外周への勾配はなだらかとなり、区画部に漂着した水は十分に流れきらず乾きにくくなり、浴室の清掃時に足が水で濡れるという課題を有していた。また、区画部の面積が大きくなればなるほど曲面の曲率は大きくなり勾配はなだらかになるため、水溜まりは顕著となる。
【０００５】
本発明は、前記従来の課題を解決するもので、本発明は区画部や目地に水が溜まりにくく乾きやすくし、足を濡らさず快適に浴室の清掃が行える洗い場防水パンを提供することを目的とする。
【課題を解決するための手段】
【０００６】
前記従来の課題を解決するために、本発明の洗い場防水パンは、洗い場面の任意の位置に排水口を設置し、前記洗い場面の外縁部から前記排水口に連通する流れ勾配を有する複数の目地を配設し、前記目地で区画された複数の区画部は平面形状を略多角形とし上部に凸状部を備えており、前記凸状部は任意の位置に頂上部を備え、前記頂上部から区画部の外周辺に向かって下り勾配を持つ傾斜面で構成したものである。
【０００７】
これによって、洗い場面に流された水は目地に押し出され、水は区画部に滞留せず、乾きやすくすることができる。また、区画部を頂上部から外周辺への下り勾配の傾斜面で構成することにより、区画部の面積に関係なく一定の流れ勾配を確保することができる。
【発明の効果】
【０００８】
本発明の浴室の洗い場防水パンは、区画部の傾斜面によって水を目地に押出し、排水口に流出させ区画部での水の滞留を防ぎ、乾きやすくなるため、足を濡らさずに浴室の清掃を行うことができる。
【発明を実施するための最良の形態】
【０００９】
第１の発明は洗い場面の任意の位置に排水口を設置し、前記洗い場面の外縁部から前記排水口に連通する流れ勾配を有する複数の目地を配設し、前記目地で区画された複数の区画部は平面形状を略多角形とし上部に凸状部を備えており、前記凸状部は任意の位置に頂上部を備え、前記頂上部から区画部の外周辺に向かって下り勾配を持つ傾斜面で形成することにより、洗い場に流れ出た水は区画部から目地に押出され、目地に沿って排水口に流出し、区画部の水の滞留を防止し、乾きやすくすることができる。
【００１０】
第２の発明は前記頂上部を頂点とすることにより、前記区画部内には全く水平面が無くなるため、さらに区画部を水の滞留が発生しにくい状態にすることができる。
【００１１】
第３の発明は前記頂上部を稜線とすることにより、区画部の形状が細長い形状の場合でも前記稜線の長さを調節できるため、頂上部から区画部の外周辺への勾配を水流れに必要な一定の勾配に維持することができるとともに、区画部内には全く水平面が無いため、区画部の水の滞留は発生しにくい状態にすることができる。
【００１２】
第４の発明は全ての目地の方向を洗い場底面の勾配と直行しない方向に配列することにより、目地の長手方向の勾配は全て水平ではなく勾配を持つことになり、目地の途中での水の滞留が発生しにくい状態にすることができる。
【００１３】
以下、本発明の実施の形態について、図面を参照しながら説明する。なお、この実施の形態によって本発明が限定されるものではない。
【００１４】
（実施の形態１）
図１は本発明の第１の実施の形態における洗い場防水パンの全体を示す斜視図であり、図２は洗い場防水パンの区画部を示す斜視図であり、図３は洗い場防水パンの区画部を示す断面図である。
【００１５】
図１、図２、図３に示すように、ＦＲＰ等の樹脂で一体成形した洗い場防水パンは、外周の壁建付部より内側に展開する洗い場面４には浴槽側中央に排水口５を設置し、洗い場面４の外周部から前記排水口５に連通する流れ勾配を有する複数の目地６を配設し、前記目地６で区画された複数の区画部７は平面形状が四角形で上部に凸状部８を備えている。
【００１６】
凸状部８は略中央の位置に頂点９を備えた略４角錐であり、前記頂点９から前記区画部７の外周辺１０に向かってほぼ直線的な下り勾配Ａ，Ｂ，Ｃ，Ｄを有する４つの傾斜面１１を備え、前記頂点９と前記傾斜面１１が交差する各稜は０．１〜０．３ｍｍの微小半径で角を落とした構成としており、洗い場面４には水が滞留する水平面あるいは逆勾配の面が存在しない構成となっている。
【００１７】
以上のように構成された洗い場防水パンについて以下その動作、作用を説明する。
【００１８】
まず、洗い場防水パンの洗い場面４に流れ出た水は複数の目地６で区画された区画部７の凸状部８頂点９から前記区画部７の外周辺１０に向かう傾斜面１１の勾配によって目地６に押出され、さらに目地６の流れ勾配に沿って排水口５に流出し、洗い場面４に流れ出た水のほとんどは排水口５から屋外に排出される。
【００１９】
以上のように、本実施の形態において、洗い場防水パンの洗い場面には水が滞留する水平面あるいは逆勾配面が存在しないため、流れ出た水は区画部の勾配によって区画部外周の目地に押し出され、目地の流れ勾配に沿って排水口に流出し、屋外に排水されるため、洗い場面に滞留する水はほとんどなくなり、洗い場面は短時間で乾燥した状態になり、入浴後の浴室の清掃時等には足を濡らさずに行うことができる。
【００２０】
なお、本実施の形態において、区画部の凸状の形状を頂点を備えた略４角錐としたが、凸状の形状は四角錐に限るものではなく、図４に示すように頂上部が稜線１２をなす略寄せ棟形状や、図５に示すように６角錐等の形状を採用することが可能である。
【００２１】
図４に示す略寄せ棟形状を採用した場合、区画部の形状を細長い形状にすることができるとともに、稜線が滑り止めの効果を発揮し、洗い場の安全性を高めることができる。
【００２２】
また、図５に示す６角錐を採用した場合、目地が直線でなく折れ曲がった線の組合せとなるため、目地を流れる水の流速が遅くなり、区画部上の水を吸着しやすくなるため、区画部上に残る残水が少なくなり、より乾燥しやすくなる。
【００２３】
また、区画部の形状は１種類に限るものではなく、複数の形状を混在して使用することも可能であり、洗い場面の中央部と入り口の近傍等を異なった形状にすることにより、洗い場の使い勝手や安全性を向上することが可能になる。
【００２４】
（実施の形態２）
図６は本発明の第２の実施の形態における洗い場防水パンの洗い場面を斜め手前上から見た斜視図である。
【００２５】
図６において、洗い場防水パンの洗い場面４の目地６は全て洗い場面４の流れ勾配の方向Ｅと直交しない配列で構成している。
【００２６】
なお、実施の形態１と同符号のものは同一構造とし説明は省略する。
【００２７】
以上のように構成された洗い場防水パンについて以下その動作、作用を説明する。
【００２８】
まず、全ての目地６を洗い場面４の流れ勾配Ｅに対して直行させないことによって、目地６は長手方向で水平部が一切存在しなくなり、区画部７から目地６に押出された水は目地６の長手方向の途中で滞留することなく、排水口５に流出する構成となる。
【００２９】
以上のように、本実施の形態において、洗い場防水パンの底面４に配設された全ての目地６の方向を洗い場面４の流れ勾配Ｅに対して直交しない方向に配列することにより、全ての目地６は長手方向に対して水平な場所はなくなり、区画部７から目地６に押出された水を目地６の途中で滞留することなくスムーズに排水口５に流出させることができる。
【産業上の利用可能性】
【００３０】
以上のように、本発明にかかる洗い場防水パンは、区画部の傾斜面の勾配によって水を周囲の目地に押出し、排水口に流出させるので区画部での水の滞留を防ぎ、乾きやすくすることができるので、トイレ、洗面、その他の設備ユニット等の防水パンの用途にも適用できる。
【図面の簡単な説明】
【００３１】
【図１】本発明の実施の形態１における洗い場防水パンの斜視図
【図２】本発明の実施の形態１における区画部の斜視図
【図３】本発明の実施の形態１における区画部の断面図
【図４】本発明の実施の形態１における別の形状の区画部の斜視図
【図５】本発明の実施の形態１における別の形状の区画部の斜視図
【図６】本発明の実施の形態２における洗い場防水パンの斜視図
【図７】従来の浴室の洗い場防水パンの斜視図
【図８】従来の洗い場防水パン底面の要部断面図
【符号の説明】
【００３２】
４  洗い場面
５  排水口
６  目地
７  区画部
８  凸状部
９  頂点
１０  外周辺
１１  傾斜面
１２  稜線
【図１】
2006016843.tif 000003
【図２】
2006016843.tif 000004
【図３】
2006016843.tif 000005
【図４】
2006016843.tif 000006
【図５】
2006016843.tif 000007
【図６】
2006016843.tif 000008
【図７】
2006016843.tif 000009
【図８】
2006016843.tif 000010